(57)【特許請求の範囲】
【請求項１】
内ケース（１Ａ）の内部に、複数個の印字ベルト（６）を備えた印字ユニット（２）が上下動自在に収容され、ばね（７）で上方の印面変更位置へ向かって押し上げ付勢されており、
内ケース（１Ａ）に外嵌する外ケース（１Ｂ）に、印字ユニット（２）をばね（７）の付勢力に抗して受け止めて、印字ユニット（２）の印字面の高さ調整を行う調整機構が設けられており、
調整機構は、外ケース（１Ｂ）の上部に設けたガイドボス（２０）と、このガイドボス（２０）に対して回転自在に、しかし抜け外れ不能に外嵌係合した調整ダイヤル（２２）と、調整ダイヤル（２２）に設けたねじ孔（２７）にねじ込まれて、調整ダイヤル（２２）で上下操作される調整ねじ体（２３）とを含み、
調整ねじ体（２３）の一部が、外ケース（１Ｂ）と内ケース（１Ａ）との少なくともいずれか一方で、上下動は許すが、回転は不能に回り止め保持されて、その下端の押圧片（３３）で印字ユニット（２）の上部を受け止めている日付印。
【請求項２】
ガイドボス（２０）の上端と調整ダイヤル（２２）との間に、互いに係合して調整ダイヤル（２２）の抜け外れを阻止する、弾性係合片（２６）と、弾性係合片（２６）を受け止める係合部（２９）とが設けてある請求項１記載の日付印。
【請求項３】
外ケース（１Ｂ）と調整ダイヤル（２２）との間に、周回状の連続凹凸面からなる節動リング部（３７）と、節動リング部（３７）に接当して、一定間隔おきに節動リング（３７）の凹面に落ち込み係合する節動体（３８）とを含む節動機構が設けてある請求項１記載の日付印。
【請求項４】
調整ねじ体（２３）の上端にフランジ状のカード装填部（３１）が設けられており、
カード装填部（３１）は、調整ダイヤル（２２）の上部に設けた収容凹部（２４）に収容されていて、その上面に印字内容を表わす表示カード（４０）が配置してある請求項１記載の日付印。
【請求項５】
ガイドボス（２０）の上端に係合部（２９）を兼ねる受壁（２１）が周回状に張り出し形成されており、
受壁（２１）の周面に節動リング部（３７）が形成されており、
弾性係合片（２６）が節動体（３８）を兼ねている請求項３記載の日付印。
【請求項６】
調整ねじ体（２３）が、円盤状のカード装填部（３１）と、カード装填部（３１）の下面に設けたねじ軸（３２）と、ねじ軸（３２）の下端に突設した押圧片（３３）とからなり、
押圧片（３３）が、ガイドボス（２０）の内底壁に設けた通口（３５）で回り止め状に保持されている請求項５記載の日付印。
【発明の詳細な説明】
【０００１】
【発明の属する技術分野】
この発明は、日付印字用の印字ユニットと、これを収容するケースと、印字ユニットの印字面の高さを調整するための調整機構とを備えている日付印に係り、なかでもケース上端に設けた調整ダイヤルを回転操作するだけで印字面の高さ調整が行える日付印に関する。
【０００２】
【従来の技術】
この種の日付印は実公平２−２８０５９号公報に公知である。そこでは、図８に示すように外ケース５０の上面壁にガイドボス５１を設け、ガイドボス５１で上下スライド自在に、しかし回転は不能に支持したねじ筒５２と、このねじ筒５２にねじ込まれる調整ダイヤル５３とで調整機構を構成している。調整ダイヤル５３の下面には、ガイドボス５１に内嵌する軸部５４と、先のねじ筒５２にねじ込まれるねじ軸５５とが設けてある。軸部５４に設けた係合リブ５６を、ガイドボス５１の内面に設けた周回溝５７に圧嵌係合することにより、調整ダイヤル５３をガイドボス５１で回転自在に抜け止め保持している。ねじ筒５２の下端は、印字ユニット５８のフレーム５９の上端壁に接当する。
【０００３】
【発明が解決しようとする課題】
上記の調整機構によれば、調整ダイヤル５３を回転操作するだけで、印字ユニット５８の印字面高さを簡単に変更調整できる。問題は、調整ダイヤル５３の抜け止めを軸部５４に設けた係合リブ５６と、ガイドボス５１の内面に凹み形成した周回溝５７とで行うので、周回溝５７を形成する際に成形用金型を無理抜きしなければならず、無理抜きに伴う形状や寸法のばらつきによって、調整ダイヤル５３をガイドボス５１に圧嵌係合したときの、係合隙間や嵌合隙間が広い範囲にわたってばらついてしまう点にある。先の隙間が大きいと、調整ダイヤル５３は僅かな外力を受けただけで回動し、印字面の高さが狂いやすい。逆に先の隙間が小さいと、調整ダイヤル５３を回動するときの操作抵抗が増し、操作し難くなる。周回溝５７の溝深さを小さくすると、係合隙間等のばらつきをある程度まで抑止できるが、皆無にできる訳ではないうえ、落下衝撃等の強い外力を受けた場合に、調整ダイヤル５３がガイドボス５１から抜け外れるおそれがある。
【０００４】
調整ダイヤル５３はガイドボス５１および外ケース５０に対して回転自在に組み付けてある。そのため、ごく僅かに印字面の高さを変更したい場合に、調整ダイヤル５３を回し過ぎる傾向にあり、試行錯誤を繰り返した後でないと、適正な高さ調整を行えない点、あるいは高さ調整に手間が掛かる点に問題があった。さらに、印字内容を表わす表示カードが前印表示を兼ねる場合に、表示カードを調整機構側に付設することができない点にも改良の余地があった。
【０００５】
この発明の目的は、調整ダイヤルの外ケースに対する組み付け構造を改良して、部品点数を増加することもなく、また組み立てのしやすさも従前通りでありながら、調整ダイヤルの操作力をほぼ一定にでき、従って印字面の高さ調整作業が容易にしかも確実に行える日付印を提供することにある。この発明の目的は、調整ダイヤルと外ケースとの間に、一定量の調整を行う毎にクリック感を生じる節動機構が設け、このクリック感を目安にして高さ調整を行うことにより、印字面の高さ調整が簡単かつ的確に行える日付印を提供することにある。
【０００６】
この発明の目的は、無理抜き等の異常成形を行う必要もなく、調整機構の構成部品を成形でき、従って調整機構を単に組み立てるだけで摺り合わせや組み換え等の調整作業を行う必要もなく、所定の操作力を発揮できる生産性に優れた日付印を提供することにある。この発明の目的は、調整機構に前印表示を兼ねる表示カードを配置して、印字内容の表示と、印字すべき方向とを同時に表示でき、従って印字すべき日付印の選定ミスや印字方向のミスを一掃できる日付印を提供することにある。
【０００７】
【課題を解決するための手段】
この発明の日付印は、図２に示すごとく内ケース１Ａの内部に、複数個の印字ベルト６を備えた印字ユニット２が上下動自在に収容され、ばね７で上方の印面変更位置へ向かって移動付勢してある。内ケース１Ａに外嵌する外ケース１Ｂに、印字ユニット２をばね７の付勢力に抗して受け止めて、印字ユニット２の印字面の高さ調整を行う調整機構を設ける。この調整機構は、図１および図３に示すごとく外ケース１Ｂの上部に設けたガイドボス２０と、このガイドボス２０に対して回転自在に、しかし抜け外れ不能に外嵌係合した調整ダイヤル２２と、調整ダイヤル２２に設けたねじ孔２７にねじ込まれて、調整ダイヤル２２で上下操作される調整ねじ体２３とを含む。調整ねじ体２３の一部が、外ケース１Ｂないし内ケース１Ａの少なくともいずれか一方で、上下動は許すが、回転は不能に回り止め保持されていて、その下端の押圧片３３で印字ユニット２の上部を受け止める。
【０００８】
ガイドボス２０の上端と調整ダイヤル２２との間には、図１および図３に示すごとく互いに係合して調整ダイヤル２２の抜け外れを阻止する、弾性係合片２６と、弾性係合片２６を受け止める係合部２９とを設ける。
【０００９】
外ケース１Ｂと調整ダイヤル２２との間には、図４に示すごとく周回状の連続凹凸面からなる節動リング部３７と、節動リング部３７に接当して、一定間隔おきに節動リング３７の凹面に落ち込み係合する節動体３８とを含む節動機構を設ける。
【００１０】
調整ねじ体２３の上端には、図１および図３に示すごとくフランジ状のカード装填部３１を設ける。このカード装填部３１は、調整ダイヤル２２の上部に設けた収容凹部２４に収容されていて、その上面に印字内容を表わすための表示カード４０を配置することができる。
【００１１】
ガイドボス２０の上端には、図３に示すごとく係合部２９を兼ねる受壁２１を周回状に張り出し形成し、該受壁２１の周面に図４に示すごとく節動リング部３７を形成する。その際に、先の弾性係合片２６が節動体３８を兼ねるようにすることができる。
【００１２】
調整ねじ体２３は、図３に示すごとく円盤状のカード装填部３１と、カード装填部３１の下面に設けたねじ軸３２と、ねじ軸３２の下端に突設した押圧片３３とからなり、図５に示すごとく押圧片３３をガイドボス２０の内底壁に設けた通口３５で回り止め状に保持する。
【００１３】
【作用および発明の効果】
調整ダイヤル２２は外ケース１Ｂの上部に設けたガイドボス２０で回転自在に、かつ抜け外れ不能に外嵌係合する組み付け構造を採用したので、調整ダイヤル２２および外ケース１Ｂを成形する際に、無理抜き等の異常成形を行う必要がない。例えば、図３に示すように、調整ダイヤル２２に弾性係合片２６を設け、ガイドボス２０にフランジ状の受壁２１を設け、該受壁２１の下面の張り出し部となる係合部２９に、弾性係合片２６を係合することにより、調整ダイヤル２２を回転自在にかつ抜け外れ不能に係合保持すると、通常の成形用金型で調整ダイヤル２２のための係合保持構造を支障なく成形できる。さらに、調整ダイヤル２２とガイドボス２０との嵌合隙間や係合隙間は、成形用金型の離型の影響を受けることなく、設計値通りに維持でき、寸法のばらつき幅を狭い範囲に抑えることができる。
【００１４】
従って、この発明の日付印によれば、従来の日付印と同等の部品数を維持しながら、調整ダイヤル２２の操作力のばらつき幅を無視できる程度にまで抑止でき、これにより印字ユニット２の印字面の高さ調整作業を容易にしかも確実に行える。しかも、組み付けの手間が増えることもない。
【００１５】
弾性係合片２６とその係合相手である係合部２９とは、それぞれ調整ダイヤル２２とガイドボス２０とのいずれの側にでも設けることができるが、弾性係合片２６が調整ダイヤル２２側に設けてあると、ガイドボス２０の突出寸法を利用して弾性係合片２６を下向きに突設できる。つまり、調整ダイヤル２２のガイドボス２０との係合位置がいたずらに上方へ移るのを避けて、その分だけ調整機構をコンパクトにまとめることができる。
【００１６】
外ケース１Ｂと調整ダイヤル２２との間に節動機構を設けてあると、調整ダイヤル２２を少量ずつ調整操作できるうえ、節動機構によって生じるクリック感を目安にして、調整ダイヤル２２の操作量を正確に加減できるので、印字面の高さ調整が簡単に、しかも的確に行え、個人の好みや捺印対象の紙質の違い等に応じて印字面の高さを微量調整できる点で有利である。
【００１７】
調整ねじ体２３は、調整ダイヤル２２で操作されて上下動はするが、常に回動不能に回り止め保持されている。そこで、調整ねじ体２３の上端にカード装填部３１を設け、そこに表示カード４０を配置すると、印字ユニット２の印字内容を表示するのと同時に、印字すべき方向をも表示し特定できるので、印字すべき日付印を誤って使用し、あるいは印字方向を間違えて捺印してしまうことも防止できる。
【００１８】
ガイドボス２０に設けた受壁２１が係合部２９を兼ね、弾性係合片２６が節動体３８を兼ねるようにすれば、各部材を個別に設ける場合に比べて、調整機構の全体構造を簡素化して、その分だけ調整ダイヤル２２および外ケース１Ｂを成形するための金型の構造を簡素化し、日付印の製造コストを削減できる。
【００１９】
調整ねじ体２３の下面下部に押圧片３３を設けておき、これをガイドボス２０の内底壁に設けた通口３５に回り止め保持すると、押圧片３３を受け止め接当するための受面を型抜き孔として形成できるので、例えば外ケース１Ｂの内外面に先の受面を突起として形成する場合に比べて、ケース構造を簡素化できるうえ、成形不良を生じる余地がない分だけ有利である。
【００２０】
【実施例】
図１ないし図６は、この発明に係る日付印の実施例を示す。図２において日付印は、ケース１と、ケース１の内部に収容される印字ユニット２と、ケース１の上端に設けられて印字ユニット２の印字面の高さ調整を行う調整機構と、ケース１の下端に着脱自在に装着したキャップ３などで構成されている。
【００２１】
ケース１は印字ユニット２を収容する内ケース１Ａと、内ケース１に対して上下スライド可能に組まれた外ケース１Ｂと、外ケース１Ｂを下方の使用位置において上方スライド不能にロック保持するロック機構などで構成する。内ケース１Ａの下端面には、固定印字体１４とこれを固定支持するホルダー１５とが設けてあり、これら両者には印字ベルト６用の通口を設けてある。
【００２２】
印字ユニット２は、門形のフレーム４と、フレーム４の左右の側壁間に設けた回転ダイヤル５で手送り操作される複数個の印字ベルト６などを有し、各印字ベルト６の印字ブロックの位置を送り操作することにより、年月日などの日付表示を自由に変更できる。印字ユニット２は、内ケース１Ａに上方から装填されて、上下スライドのみ可能に案内支持され、内ケース１Ａの内底とフレーム４との間に配置したばね７で上方の印面変更位置へ向かって押し上げ付勢してある。印字ユニット２が印面変更位置を越えてケース外へ押し出されるのを防ぐ必要上、内ケース１Ａの上部内面にはストッパ８を装着してあり、これでフレーム４の上端壁が受け止められる。
【００２３】
内ケース１Ａの上端寄りの筒壁には、回転ダイヤル５を回動操作するために、前後一対の操作窓１０を開口してあり、この窓１０と直交する筒壁に沿って一対のガイド枠１１が一体に設けられている。外ケース１Ｂは、このガイド枠１１で上下方向にスライド案内されて、操作窓１０の外面を塞ぐ図２の使用位置と、外ケース１Ｂが上方スライド操作されて操作窓１０の外面を開放する図６の開放位置とに上下変位でき、使用位置においては、外ケース１Ｂの筒壁の下対に設けたロック爪１２をロックリング１３で係合保持することにより、外ケース１Ｂを上方スライド不能に固定できる。
【００２４】
図２においてキャップ３の内底には、印字ベルト６および固定印字体１４と接触してインクを供給するインク吸蔵マット１６が敷設されている。キャップ３を内ケース１Ａから取り外し、さらにキャップ３の下端の蓋１７を取り外すことにより補給口３ａを開放し、そこからインク吸蔵マット１６にインクを外部から補給できる。
【００２５】
固定印字体１４の印字面を基準にして、印字ユニット２の印字面の高さを調整するために、外ケース１Ｂとフレーム４との間に調整機構を設けている。調整機構は、図３に示すごとく外ケース１Ｂの上端壁と一体に設けたガイドボス２０と、ガイドボス２０の上端開口縁に張り出し形成したフランジ状の受壁２１と、この受壁２１で回転自在に、しかし抜け外れ不能に係合保持される調整ダイヤル２２と、調整ダイヤル２２にねじ込まれて、フレーム４の上端壁を受け止める調整ねじ体２３とからなる。
【００２６】
図３において調整ダイヤル２２は、上向きに開口する円形の収容凹部２４を有し、その凹部底壁の中央下面に円筒状のボス２５を突設し、凹部底壁にはボス２５の外周囲４個所に先の受壁２１に対して外嵌状に係合する弾性係合片２６を下向きに突設してなる。ボス２５には、調整ねじ体２３用のねじ孔２７が上下貫通状に形成されている。４個の弾性係合片２６は、調整ダイヤル２２の成形時に成形用金型を上下方向に型抜きすることによって他の部分と同時に一体成形され、とくに弾性係合片２６の下端の爪部２８を同時形成するために、収容凹部２４の内底壁に型抜き孔が形成される。弾性係合片２６はガイドボス２０に対して上方から圧嵌係合され、その爪部２８が受壁２１の周面を乗り越えて、図１に示すごとく受壁２１の下面の係合部２９に係合することにより、調整ダイヤル２２を抜け外れ不能に係合保持する。この係合状態において、ボス２５はガイドボス２０で回転自在に軸支されている。
【００２７】
図３において調整ねじ体２３は、円盤状のカード装填部３１の下面中央にねじ軸３２を突設し、さらにねじ軸３２の下端からフレーム４を受け止める押圧片３３を突設してなる。押圧片３３は二又状の角軸体からなり、その下端に抜け止め爪３４が一体に形成されている。調整ダイヤル２２のねじ孔２７にねじ軸３２をねじ込んで仮り組みした後、押圧片３３をガイドボス２０の内底壁に設けた四角形の通口３５に圧嵌挿通することにより、調整ねじ体２３の全体は図５に示すごとく外ケース１Ｂに対して回転不能に、しかし上下動は許す状態で案内保持できる。
【００２８】
上記のように調整ダイヤル２２、および調整ねじ体２３をガイドボス２０に組み付けた状態においては、図１に示すように押圧片３３がストッパ８より下方に突出していて、ばね７の押上げ力に抗してフレーム４の上端壁を受け止めており、調整ダイヤル２２を回転操作することにより、調整ねじ体２３を上下動させて印字ユニット２の印字面の高さを調整変更できる。このときの調整操作を容易にしかも迅速に行うために、外ケース１Ｂと調整ダイヤル２２との間に節動機構が設けられている。
【００２９】
具体的には、図４に示すように前記受壁２１を利用してその周面に連続波形の節動リング部３７を形成する。さらに、４個の弾性係合片２６のうち、幅狭の弾性腕を備えた１対の係合片２６を節動体３８として利用し、これら両者３７・３８で節動機構を構成する。節動体３８となる弾性腕には、節動リング部３７の凹部に落ち込み係合する突弧面３９が形成してある。この実施例では、節動リング部３７を構成する凹凸を２０組形成したので、ねじ軸３２のねじピッチの１８分の１mmずつ、調整ねじ体２３を上下調整できる。
【００３０】
調整ねじ体２３は、外ケース１Ｂに対して相対回動不能に組み付ける。そこで、カード装填部３１の浅い凹面３１ａには、図３に示すごとく前印表示を兼ねて印字内容を表示するための表示カード４０を配置して固定すると、印字方向の間違いや印字すべき日付印の選択間違いを解消できる。表示カード４０を保護するために、図１の想像線で示すように、収容凹部２４の開口縁には透明の保護板４１を固定することができる。
【００３１】
上記の実施例における調整機構は、その一部を次のように変更して実施することができる。図７に示すように、弾性係合片２６をガイドボス２０側に設け、その係合相手となる係合部２９を調整ダイヤル２２側に設ける。ガイドボス２０の下半部外面に節動リング部３７を設け、これと係合する専用の節動体３８を調整ダイヤル２２に設ける。カード装填部３１の周面を利用してねじ軸３２を形成し、ねじ孔２７を収容凹部２４の内周面に形成する。これらの変更は個別に採用することができ、全ての変更要素を同時に備えている必要はない。
【００３２】
上記以外に、節動リング部３７は調整ダイヤル２２側に設けてもよい。外ケース１Ｂは内ケース１Ａに対して着脱可能に圧嵌装着してあってもよい。押圧片３３と接当して、調整ねじ体２３を回り止め保持する突片を、外ケース１Ｂあるいは内ケース１Ａに設けることができる。節動体３８を弾性係合片２６とは別に独立して形成することができる。
【図面の簡単な説明】
【図１】調整機構を示す日付印上部の縦断正面図である。
【図２】日付印の縦断正面図である。
【図３】調整機構部の分解斜視図である。
【図４】節動機構の横断平面図である。
【図５】調整ねじ体の回り止め構造を示す横断平面図である。
【図６】外ケースを開放スライドした状態の一部破断正面図である。
【図７】調整機構の別の実施例を示す日付印上部の断面図である。
【図８】従来の日付印における調整機構を示す断面図である。
【符号の説明】
１  ケース
１Ａ  内ケース
１Ｂ  外ケース
２  印字ユニット
６  印字ベルト
７  ばね
２０  ガイドボス
２１  受壁
２２  調整ダイヤル
２３  調整ねじ体
２６  弾性係合片
２７  ねじ孔
２９  係合部
３２  ねじ軸
３３  押圧片
３７  節動リング部
３８  節動体
【図１】
0003642402.tif 000002
【図２】
0003642402.tif 000003
【図３】
0003642402.tif 000004
【図４】
0003642402.tif 000005
【図５】
0003642402.tif 000006
【図６】
0003642402.tif 000007
【図７】
0003642402.tif 000008
【図８】
0003642402.tif 000009